(57)【要約】      （修正有）【課題】副収納部にものが収納されていても、主収納部へ簡便にものを出し入れできるようにしたスーツケースを提供する。【解決手段】本考案のスーツケースは、蓋体２の前面上部に矩形状の開口部が形成され、開口蓋３が２個のファスナーおよびファスナーによって開閉可能となっている。ファスナーを開いたときは、第１開口部５が開口し副収納部にアクセスでき、ファスナーを開いたときは第２開口部６が開口し、主収納部とアクセスできる。副収納部には主収納部と区画する隔壁７が形成され、モバイル機器など小物を収納するためのポケットが固設されている。【選択図】図４
0003214128.tif 000002
【実用新案登録請求の範囲】
【請求項１】
箱体にヒンジで連結された蓋体の前面に開口部を形成し、該開口部にファスナーで開閉される開口蓋を設けた直方体状の硬質樹脂製のスーツケースにおいて、該ファスナーは二重に設けられ、外側のファスナーで開口される第１開口部には主収納部と隔離する隔壁と小物を収納するポケットを有する副収納部が形成され、内側のファスナーで開口される第２開口部は主収納部と連通されていることを特徴とするスーツケース。
【請求項２】
前記副収納部における小物物品を収納するポケットは、モバイル機器の収納ができる大きさでクッション材を備え隔壁に付設されたことを特徴とする請求項１記載のスーツケース。
【考案の詳細な説明】
【技術分野】
【０００１】
本考案は、簡便に小物の出し入れを行うため蓋体の前面に開口蓋を設けた硬質樹脂製のスーツケースに関するものである。
【背景技術】
【０００２】
硬質樹脂製のスーツケースは、箱体と蓋体とからなり、丈夫にできているが、表面にはポケットなどがなく、ケース内に出し入れする場合は、横に寝かせた状態で蓋体を開口しなければならない。
そこで、蓋体にファスナーで開口できる副収納部を設けて、小物を簡便に出し入れできるようにしたものが開発されている（特許文献１参照）。
【先行技術文献】
【特許文献】
【０００３】
【特許文献１】実用新案登録３１６３１３７号公報
【考案の概要】
【考案が解決しようとする課題】
【０００４】
特許文献１のスーツケースはケースを寝かせることなく、立てた姿勢のまま、開口蓋を開閉することができ、パソコンなどのモバイル機器や土産物を副収納部へ簡便に出し入れできる。
しかしながら、例えば、気候の違う所へ行く場合など、上着やコートの出し入れが必要になったり、土産物を買ったが副収納部が一杯である場合など、主収納部へ入れなくてはいけない場合がある。
なお、副収納部における主収納部との隔壁をファスナーで開口できるようにして、副収納部から主収納部へ物を出し入れできるようにしたものがあるが、副収納部に物が入っている場合は、小物を副収納部から取り出さなければならず、利用しにくいものである。
【０００５】
本考案は、上記の問題点を解消するため開発されたものであり、副収納部にものが収納されていても、主収納部へ簡便にものを出し入れできるようにしたスーツケースを提供することを目的としている。
【課題を解決するための手段】
【０００６】
上記の目的を解決するため、本考案のスーツケースは、次のように構成した。すなわち、箱体にヒンジで連結された蓋体の前面に開口部を形成し、該開口部にファスナーで開閉される開口蓋を設けた直方体状の硬質樹脂製のスーツケースにおいて、該ファスナーは二重に設けられ、外側のファスナーで開口される第１開口部には主収納部と隔離する隔壁と小物を収納するポケットを有する副収納部が形成され、内側のファスナーで開口される第２開口部は主収納部と連通されていることを特徴としている。
【０００７】
箱体と蓋体の開口部の形状および大きさは特に問わない。なお、第１開口部および第２開口部は、下側にヒンジを設けて、上側から開放される。また、出し入れする物は特に規制しないが、パソコンなどのモバイル機器の利用がかなり普及しているので、副収納部は、モバイル機器の専用収納部としてもよい。その場合は、請求項２に記載のように、ポケットは、モバイル機器の収納ができる大きさでクッション材を備え隔壁に付設された構成にするのが望ましい。
硬質樹脂製スーツケースは、キャスターと伸縮できるキャリーハンドルを備えたものが、一般的であるが、本考案は、特に、これを備えたものに限定するものではない。
また、開口蓋は、開口しすぎないように（３０〜５０度）、蓋体と開口蓋をベルトで連結するとよい。なお、開口部は、密封性を保つように構成する。
【考案の効果】
【０００８】
本考案のスーツケースは、蓋体の前面に二重のファスナーで開閉される開口蓋を設け、外側のファスナーで開口される第１開口部には主収納部と隔離する隔壁と小物を収納するポケットを有する副収納部が形成され、内側のファスナーで開口される第２開口部は主収納部と連通された構成としたので、副収納部にものが収納されているかどうかに拘らず、第２開口部を開閉して主収納部へ物の出し入れができ、スーツケースを寝かせて拡げることがなくなり、かつ、機内へ持ち込む荷物の量を減らすことができる。
【０００９】
また、請求項２に記載のように、小物物品を収納するポケットは、モバイル機器の収納ができる大きさでクッション材を備え隔壁に付設されているので、モバイル機器に振動や衝撃が加わり難く機器が保護される。
【図面の簡単な説明】
【００１０】
【図１】本考案のスーツケースの実施の形態を示す全体斜視図である。
【図２】同、第１開口部のみを開口したときの状態を示す斜視図である。
【図３】同、第２開口部のみを開口したときの状態を示す斜視図である。
【図４】同、第１開口部と第２開口部を開口したときの状態を示す斜視図である。
【図５】同、さらに、主ファスナーを開口したときの状態を示す斜視図である。
【考案を実施するための形態】
【００１１】
本考案のスーツケースの実施の形態を、図１〜図５に基づいて説明する。
図１は、本考案のスーツケースの全体を示す斜視図で、硬質樹脂からなる箱体１と蓋体２がヒンジで連結され、下端の四隅にキャスター２０を備え、上部に取手１７，１８が設けられている。そして、蓋体２の上部側に開口蓋３が設けられている。なお、図中４は主ファスナー、５ａ，６ａはファスナーである。
【００１２】
図２は、ファスナー５ａを開いて第１開口部５を開口したときの状態を示す斜視図で、図３はファスナー５ａを閉じて、ファスナー６ａを開いて第２開口部６を開口したときの状態を示す斜視図で、図４はファスナー５ａおよびファスナー６ａの両方を開いて第１開口部５と第２開口部６を開口したときの状態を示す斜視図である。また、図５は、さらに、主ファスナー４を開いた状態を示す斜視図である。
【００１３】
このスーツケースは、蓋体２の前面上部に矩形状の開口部が形成され、開口蓋３が下側に設けたヒンジで、上側から下方へ開閉できるように構成され、開口部には２個のファスナー５ａおよびファスナー６ａが設けられている。
ファスナー５ａを開いたときは、図２に示すように第１開口部５が開口され、隔壁７によって主収納部と区画された一定の大きさの副収納部が形成されている。そして、隔壁７にはモバイル機器を収納するためのポケット１０が固設されている。このポケット１０にはクッションが付設されており、中央上部には小物が飛び出さないように保持するバンド１１が設けられている。なお、隔壁７の変形を少なくするため、ファスナー６ａの全周部に枠を入れても良い。
【００１４】
開口蓋３の左右端には、開口蓋３の開口量を所定量に規制するため、中央にファスナー９ａが設けられた係止布９が取り付けられている。
ファスナー５ａを閉じて、ファスナー６ａを開いた場合は、図３に示すように、第２開口部６すなわち、主収納部が開口される。なお、図３において、１２は、衣類などを押さえるバンドである。また、図４は、ファスナー５ａとファスナー６ａの両方を開いた場合を示す図で、副収納部と主収納部との間で物の移動を行う場合などに便利である。
【００１５】
また、主ファスナー４を開いた場合は、図５に示すように、箱体１側の主収納部が開放される。図５において、１４は、仕切壁で、バンド１５で止められている。また、１６はポケット用のファスナーである。なお、図５においては、第１開口部および第２開口部とも開口した状態を示しているが、実際には、主ファスナー４を開く場合は第１開口部および第２開口部は、閉じられた状態で行われる。
【００１６】
次に、このように構成された本考案のスーツケースの作用について説明する。
まず、旅行用品などを収納するときは、従来と同様、スーツケースを横に寝かせた状態で蓋体２を開いて荷物を収納する。
そして、モバイル機器や土産物の収納するときは、スーツケースを立てた状態で、ファスナー５ａを開いて、ポケット１０に挿入すればよい。また、上着やコートなど、出し入れが予想されるものは、ファスナー６ａを開いて取り出せるように主収納部に収納してバンド１２で保持する。
これにより、例えば、気候の違う場所に行って、帰ってきたときに上着やコートをファスナー６ａを開いて主収納部から出し入れできる。
【００１７】
なお、上記の実施の形態においては、収納する小物をモバイル機器として説明したが、本考案はこれに限るものではなく、収納したり、取出したりすることが考えられるものであればよい。
【符号の説明】
【００１８】
１  箱体
２  蓋体
３  開口蓋
４  主ファスナー
５  第１開口部
５ａ  ファスナー
６  第２開口部
６ａ  ファスナー
７  隔壁
９  係止布
９ａ  ファスナー
１０  ポケット
１１  バンド
１２  止ベルト
１４  仕切壁
１５  止バンド
１６  ファスナー
１７  把手
１８  把手
２０  キャスター
【図１】
0003214128.tif 000003
【図２】
0003214128.tif 000004
【図３】
0003214128.tif 000005
【図４】
0003214128.tif 000006
【図５】
0003214128.tif 000007